【手続補正書】
【提出日】平成23年3月25日(2011.3.25)
【手続補正１】
【補正対象書類名】明細書
【補正対象項目名】００４２
【補正方法】変更
【補正の内容】
【００４２】
［表４］
チャネルフィールド１１＝１（３及び４チャネルオーディオ）の場合
――――――――――――――――――――――――――――――――――
Ｌチャネルオーディオサンプルフィールド１４＝チャネル１のオーディオサンプル０；
Ｒチャネルオーディオサンプルフィールド１６＝チャネル２のオーディオサンプル０；
Ｌチャネルオーディオサンプルフィールド１４＝チャネル３のオーディオサンプル０；
Ｒチャネルオーディオサンプルフィールド１６＝チャネル１のオーディオサンプル０；
Ｌチャネルオーディオサンプルフィールド１４＝チャネル２のオーディオサンプル１；
Ｒチャネルオーディオサンプルフィールド１６＝チャネル４のオーディオサンプル１；
Ｌチャネルオーディオサンプルフィールド１４＝チャネル３のオーディオサンプル２；
Ｒチャネルオーディオサンプルフィールド１６＝チャネル４のオーディオサンプル２；
以降同様に繰り返し．
――――――――――――――――――――――――――――――――――
【手続補正２】
【補正対象書類名】明細書
【補正対象項目名】００５６
【補正方法】変更
【補正の内容】
【００５６】
まず、ソース機器１１０の動作について説明する。ソース機器１１０のパケット処理回路１１３は、デジタル音声再生装置１１２から入力される音声データストリームに基づいて、図５で示される第１のオーディオパケット３０ａ乃至第ｎのオーディオパケット３０ｎのように順次時系列に生成する。パケット送受信回路１１４は、第１のオーディオパケット３０ａ乃至第ｎのオーディオパケット３０ｎを順次時系列で有線伝送ケーブル１００を介してシンク機器１２０に送信する。なお、本実施形態においては、有線ネットワークの有線伝送ケーブル１００を用いているが、本発明はこれに限らず、無線ネットワークの無線通信回線を用いてソース機器１１０とシンク機器１２０とを接続してもよい。有線伝送ケーブル１００において、外乱ノイズなどが付加されてシンク機器１２０にオーディオパケットが正しく伝送できない場合、所定の再送手順によりオーディオパケットは再送される。シンク機器１２０はそれぞれのオーディオパケット３０ａ〜３０ｎの誤り検出フィールド３７ａ〜３７ｎを検査し、各オーディオパケット３０ａ〜３０ｎ毎の伝送誤りの有無をアクノリッジ信号（肯定応答信号又はＡＣＫ信号という。）に多重化するなどしてソース機器１１０のコントローラ１１１に通知する。例えば、ソース機器１１０からシンク機器１２０に伝送されるオーディオパケットの中で、第２のオーディオパケット３０ｂが正しく伝送されなかった場合、第４のオーディオパケット３０ｄには第２のオーディオパケット３０ｂと同じパケットペイロードのデータが設定される。すなわち、第４のＬチャネルのオーディオサンプルフィールドと、Ｌチャネルのオーディオサンプルフィールドに対応したＩＥＣ６０９５８規格のステータス情報を伝送するＬチャネルのステータスフィールドと、Ｒチャネルのオーディオサンプルフィールドと、Ｒチャネルのオーディオサンプルフィールドに対応したＩＥＣ６０９５８規格のステータス情報を伝送するＲチャネルのステータスフィールドとは第２のオーディオパケット３０ｂと同じになる。また、第４のオーディオパケットが再送パケットであることを識別できるようにするため、第４のオーディオパケットのヘッダ３１ｄには再送フラグなどが設定されるものとする。以下に、ソース機器１１０からシンク機器１２０に伝送されるオーディオフレームの番号を整理する。ここで、ｎは自然数であり、ｍは自然数であり、以下、同様である。
【手続補正３】
【補正対象書類名】明細書
【補正対象項目名】００６１
【補正方法】変更
【補正の内容】
【００６１】
ソース機器１１０のパケット処理回路１１３が音声パケットのペイロードにおける開始フレームの位置が連続したパケットで同一（パケットのペイロードの長さが１９２フレームの自然数倍）とならないようにパケットの長さを選択することで、音声データ再生部は入力されたオーディオフレームを順序よく音声データの信号再生を行うことができる。
【手続補正４】
【補正対象書類名】明細書
【補正対象項目名】００６６
【補正方法】変更
【補正の内容】
【００６６】
まず、ソース機器１１０の動作について説明する。図１において、デジタル音声再生装置１１２は例えば記録媒体からデジタル音声データストリームを再生してパケット処理回路１２３に出力する。パケット処理回路１２３は入力された音声データを一旦内蔵バッファに蓄積して、図２に示される音声パケットを生成する。音声パケットは宛先アドレスやパケット長さなどのＭＡＣ層やＰＨＹ層の情報が格納されたパケットヘッダ１と、オーディオサンプルデータなどが格納されたパケットペイロード２と、パケットペイロード２は著作権保護情報ビット５と、オーディオフレーム３の繰り返しパターン（オーディオフレームの自然数倍）と、パディングビット６とから構成される。誤り検出フィールド４はパケットペイロード２の誤り検出ができるように誤り検出ビットが設定される。第３の実施形態に係るオーディオフレームは、図６に示されるように、伝送するオーディオデータのマルチチャネル数を示すチャネルフィールド４１（２ビット）と、オーディオサンプルがフレームフォーマットの該当する領域に存在するか否かを示すイグノアビット４２（１ビット）と、Ａチャネルのオーディオサンプルフィールド４３（２８ビット）と、Ｂチャネルのオーディオサンプルフィールド４４（２８ビット）と、予備フィールド４５（４ビット）とを含む。ソース機器１１０のパケット送受信回路１１４はパケット処理回路１１３によって生成された音声パケットを含む音声データ信号を有線伝送ケーブル１００を介してシンク機器１２０に送信する。なお、本実施形態においては、有線ネットワークの有線伝送ケーブル１００を用いているが、本発明はこれに限らず、無線ネットワークの無線通信回線を用いてソース機器１１０とシンク機器１２０とを接続してもよい。ここで、マルチチャネル数を示すチャネルフィールド４１とＡチャネルオーディオサンプルフィールド４３、Ｂチャネルオーディオサンプルフィールド４４の関係は、第１の実施形態と同様である。また、イグノアビット４２はＢチャネルオーディオサンプルフィールド４４にオーディオサンプルが含まれているか否かをそれぞれ表現している。イグノアビット４２は伝送するオーディオデータのマルチチャネル数が奇数の場合であっても、パケットペイロード２の最後のオーディオフレーム３にオーディオサンプルデータが存在しない場合を可能にするためのものである。
【手続補正５】
【補正対象書類名】明細書
【補正対象項目名】００８６
【補正方法】変更
【補正の内容】
【００８６】
さらに、図１２のＬチャネルのステータスフィールドは、図１３に示されるフォーマットを有する。図１３に示されるように、Ｌチャネルのステータスフィールドは、ＩＥＣ６０９５８−１規格の第１のサブフレームからの有効ビットＶＬ（１ビット）と、ＩＥＣ６０９５８−１規格の第１のサブフレームからのユーザデータビットＵＬ（１ビット）と、ＩＥＣ６０９５８−１規格の第１のサブフレームからのチャネルステータスビットＣＬ（１ビット）と、ＩＥＣ６０９５８−１規格の第１のサブフレームからのパリティビットＰＬ（１ビット）とを含む。
【手続補正６】
【補正対象書類名】明細書
【補正対象項目名】００８７
【補正方法】変更
【補正の内容】
【００８７】
また、図１２のＲチャネルのステータスフィールドは、図１４に示されるフォーマットを有する。図１４に示されるように、Ｒチャネルのステータスフィールドは、ＩＥＣ６０９５８−１規格の第２のサブフレームからの有効ビットＶＲ（１ビット）と、ＩＥＣ６０９５８−１規格の第２のサブフレームからのユーザデータビットＵＲ（１ビット）と、ＩＥＣ６０９５８−１規格の第２のサブフレームからのチャネルステータスビットＣＲ（１ビット）と、ＩＥＣ６０９５８−１規格の第２のサブフレームからのパリティビットＰＲ（１ビット）とを含む。
【手続補正７】
【補正対象書類名】明細書
【補正対象項目名】００９０
【補正方法】変更
【補正の内容】
【００９０】
図１５は、第５の実施形態に係る無線通信システムにおいて用いる音声データのパケットフォーマットを示す図である。図１５に示されるように、１つの音声パケットは、（ａ）宛先アドレスやパケット長さなどのＭＡＣ層やＰＨＹ層の情報が格納されたパケットヘッダ１と、（ｂ）オーディオサンプルデータなどが格納されたパケットペイロード２ａとから構成される。ここで、パケットペイロード２ａは、著作権保護情報フィールド５ａと、オーディオフレーム３の繰り返しパターン（オーディオフレームの自然数倍）と、パディングビット６とから形成され、パケットペイロード２ａの最後尾であって、各オーディオフレーム３の最後部と、パディングビット６に続いて、誤り検出フィールド４が付加される。ここで、著作権保護情報フィールド５ａはパケットペイロード２ａのオーディオコンテンツの著作権保護に関する情報に設定される。また、パディングビット６は著作権保護情報フィールド５ａとオーディオフレーム３の繰り返しパターン（オーディオサブパケット）との合計の長さが暗号化の処理単位の自然数倍となるようにパケットペイロード２ａの長さを調整するように設定される。誤り検出フィールド４には、パケットペイロード２ａの誤り検出ができるように誤り検出ビットが設定される。
【手続補正８】
【補正対象書類名】明細書
【補正対象項目名】０１０２
【補正方法】変更
【補正の内容】
【０１０２】
図２２は、図１６のタイプビットがＩＳＲＣパケットを示すときの、ＩＳＲＣパケットのフォーマットを示す図である。図２２に示されるように、シーケンス番号フィールドの値が０ｘ００のときデータフィールドの内容はＩＳＲＣヘッダフォールドであり、シーケンス番号フィールドの値が０ｘ０１のときデータフィールドの内容はオクテット０のデータであり、シーケンス番号フィールドの値が０ｘ０２のときデータフィールドの内容はオクテット１のデータであり、シーケンス番号フィールドの値が０ｘ０３〜０ｘ１Ｆのときデータフィールドの内容はオクテット２〜オクテット３０のデータであり、シーケンス番号フィールドの値が０ｘ１０のときデータフィールドの内容はオクテット３１のデータである。ソース機器１１０Ａは、ＩＳＲＣパケットを用いて、デジタル音声再生装置１１２によって再生されるＤＶＤなどの記録媒体上の各コンテンツトラックの起源（origin）又はオーナの詳細情報を記述する、ＩＳＲＣ及び／又はＵＰＣ（Universal Product Code）／ＥＡＮ（European Article Number）の関連する各値を送信する。